(57)【特許請求の範囲】
【請求項１】
矩形状をした縦長の一枚の板紙からなり、途中につなぎ部分を設けた切抜き線により切離し部と周縁部とに区画されており、その周縁部には下辺に沿って所定幅の下辺側折曲げ部を形成するように折線が形成され、上辺に沿って所定幅の上辺側折曲げ部を形成するように折線が形成されており、さらに両折曲げ部を除いた周縁部を縦方向の中央で２つ折りするための折線が形成されており、両折曲げ部には互いにかみ合って係合する切込線がそれぞれ形成されてなる組立カードであって、切離し部を分離した周縁部を中央の折線で折り曲げて下辺側折曲げ部が前方に上辺側折曲げ部がその背後に配置されるように両折曲げ部を重ね合わせた際にできる両折曲げ部の間の隙間に分離した切離し部を挿入して組み立てることを特徴とする組立カード。
【発明の詳細な説明】
【０００１】
【発明の属する技術分野】
本発明は、立てる状態に組み立てることができる板紙製のカードであって、雑誌の付録や商品販促用のＰＯＰなど種々の用途に利用可能な組立カードに関するものである。
【０００２】
【従来の技術】
従来より、この種のカードとして、例えば子供用雑誌の付録などで、Ｌ字型に折り曲げて立てる状態にするものが知られている。或いは、山形に折り曲げて店頭等に陳列し、販促用のＰＯＰとして使用されるものも知られている。
【０００３】
【発明が解決しようとする課題】
上記したような板紙を利用した従来の付録やＰＯＰは、簡便ではあるが、折り曲げただけの形状であるので、外観的には面白みに欠けるものである。そこで、出版業界、玩具業界、広告業界などにあっては、今までにない面白みがあって人目を引く組立カードの出現が望まれている。
【０００４】
本発明は、上記のような事情に鑑みてなされたもので、その目的とするところは、簡便でありながらも面白みがあって見栄えのする新しい形状の組立カードを提供することにある。
【０００５】
【課題を解決するための手段】
上記の目的を達成するため、本発明の組立カードは、矩形状をした縦長の一枚の板紙か  らなり、途中につなぎ部分を設けた切抜き線により切離し部と周縁部とに区画されており、その周縁部には下辺に沿って所定幅の下辺側折曲げ部を形成するように折線が形成され、上辺に沿って所定幅の上辺側折曲げ部を形成するように折線が形成されており、さらに両折曲げ部を除いた周縁部を縦方向の中央で２つ折りするための折線が形成されており、両折曲げ部には互いにかみ合って係合する切込線がそれぞれ形成されてなる組立カードであって、切離し部を分離した周縁部を中央の折線で折り曲げて下辺側折曲げ部が前方に上辺側折曲げ部がその背後に配置されるように両折曲げ部を重ね合わせた際にできる両折曲げ部の間の隙間に分離した切離し部を挿入して組み立てることを特徴としている。
【０００６】
【発明の実施の形態】
図１は本発明に係る組立カードの一例を示す平面図であり、組立前のカードの状態を示している。
【０００７】
図１に示されるように、組立カード１０は矩形状をした縦長の一枚の板紙からなる。そして、この組立カード１０は、途中につなぎ部分を設けた切抜き線αによって切離し部１１と周縁部１２とに区画されている。そして、その周縁部１２には、下辺に沿って所定幅の下辺側折曲げ部１３を形成するように折線ａが形成され、また上辺に沿って所定幅の上辺側折曲げ部１４を形成するように折線ｂが形成されており、さらに両折曲げ部１３，１４を除いた周縁部１２を縦方向の中央で２つ折りするための折線ｃが形成されている。また、これらの両折曲げ部１３，１４には、互いにかみ合って係合する切込線ｍ，ｎがそれぞれ形成されている。なお、図１の組立カード１０では、切離し部１１と周縁部１２を区画する切抜き線αの下側を、下辺側折曲げ部１３を形成する折線ａの一部分と一致させている。
【０００８】
図２に組立カード１０を切離し部１１と周縁部１２とに分離した状態を示してある。ここでは、爪により切抜き線αのつなぎ部分を破断することによって分離する。
【０００９】
図３に組み立てた状態の周縁部１２とそれに差し込む前の切離し部とを示してある。周縁部１２を図３のように組み立てるには、中央の折線ｃで周縁部１２を２つ折りし、次いで両折曲げ部１３，１４をそれぞれ折線ａ，ｂで折り曲げた状態とした後、下辺側折曲げ部１３の切込線ｍのところに上辺側折曲げ部１４の切込線ｎから外側の部分を裏側から通すようにして、下辺側折曲げ部１３の内側に上辺側折曲げ部１４を重ね合わせる。これにより、図３に示す如く、両折曲げ部１３，１４は切込線ｍ，ｎのところでかみ合って係合し、下辺側折曲げ部１３が前方に上辺側折曲げ部１４がその背後に配置され、両折曲げ部１３，１４の間に切離し部１１が丁度入る隙間が形成されることになる。
【００１０】
上記のように、組立カード１０を切離し部１１と周縁部１２とに分離し、周縁部１２を図３に示す如く組み立てた後、両折曲げ部１３，１４の間の隙間を差込み部として利用し、ここに切離し部１１を挿入することで、図４に示すように組立を完了する。
【００１１】
このように組み立てた状態では、２つ折りされた周縁部１２と両折曲げ部分１３，１４とが三角状の台座を構成し、その上に切離し部１１が立った状態になるので、今までにない形状でしかも安定したものとなる。なお、切離し部が少し後方に傾いた見やすい状態になるように折線ａ，ｂ，ｃの位置を設定しておくようにする。
【００１２】
この組立カード１０は、その略全面に絵柄や文字等の印刷が施されており、例えばＰＯＰとして使用するのであれば、表面側に印刷すれば正面側から顧客吸引力を発揮するというＰＯＰ本来の機能は果たすが、組立前に顧客に配布するカードとしての機能を充実するには両面印刷が望ましい。
【００１３】
さらに、トレーディングカードとして使用するのであれば、通例はトレーディングカードは両面印刷するものであるから、トレーディングカード仕様では両面印刷を行うことになるが、本発明の組立カードは立体的に組み立てるものであるから、表面に野球選手の正面を印刷（図１１参照）するのであれば、その裏面には同じ野球選手の背面を印刷するのが望ましい。
【００１４】
図５は図１に示した組立カードの変形例を示す平面図であり、図１に示した組立カードと同様な部位には同じ符号を付してその説明を省略する。
【００１５】
この図５に示す組立カード１０は、図１に示す組立カードと略同じ形状であるが、切離し部１１と周縁部１２とを区画する切抜き線αの下側が、下辺側折曲げ部１３を形成する折線ａとは一致しておらず、折線ａより多少上方にずれた状態になっている点で異なっている。
【００１６】
この図５に示す組立カード１０は、図６に示す如く切離し部１１と周縁部１２とに分離し、周縁部１２を図７に示す如く組み立てた後、両折曲げ部１３，１４の間の隙間を差込み部として利用し、ここに切離し部１１を挿入することで、図８に示すように組立を完了するが、周縁部１２の組み立て方が図３で説明したのとは異なる。
【００１７】
すなわち、この組立カード１０の周縁部１２は、中央の折線ｃで周縁部１２を２つ折りし、次いで両折曲げ部１３，１４をそれぞれ折線ａ，ｂで折り曲げた状態とした後、下辺側折曲げ部１３の切込線ｍのところに上辺側折曲げ部１４の切込線ｎから外側の部分を表側から通すようにして、下辺側折曲げ部１３の外側に上辺側折曲げ部１４を重ね合わせる。これにより、図７に示す如く、両折曲げ部１３，１４は切込線ｍ，ｎのところでかみ合って係合し、上辺側折曲げ部１４が前方に下辺側折曲げ部１３がその背後に配置され、両折曲げ部１３，１４の間に隙間が形成されることになる。この場合、切込線ｍ，ｎがかみ合ったところ以外の広い範囲に渡って隙間が形成される。そして、この両折曲げ部１３，１４の間の隙間を差込み部として利用し、ここに切離し部１１を挿入する。
【００１８】
【実施例】
図９に示す実施例は、図１に示されるタイプの組立カードを販促用のＰＯＰとして使用したものである。具体的には、切離し部１１にワインボトルの絵柄を書いた組立カード１０を準備し、この組立カード１０を図９のように組み立てた状態にし、店頭のワイン販売コーナーにある陳列台Ｂの上に載置する。このように、板紙から簡単に組み立てることができて、しかも従来にない人目を引く形態のものになり、目立つところの何処にでも置くことができる。
【００１９】
図１０に示す実施例は、図１に示されるタイプの組立カードを雑誌の綴じ込み用付録としたもので、図示のように、組立カード１０には切取り用のミシン目βを介して一方の長辺に綴代部分Ｆが設けられ、その綴代部分Ｆで雑誌Ｍに綴じ込まれている。この組立カード１０をハガキ大とした場合、通常のはがき貼り機により雑誌Ｍに図示の如く綴じ込むことができる。綴じ込む場所は、通常の葉書の場合と同様に、巻頭でも巻末でも頁の中程でも任意の場所を選択できる。
【００２０】
図１１に示す実施例は、図５に示されるタイプの組立カード１０をトレーディングカードとして利用したものである。通常、トレーディングカードは、スポーツ選手やキャラクターなどを印刷したカードであって、ファンの人が購入したり、或いは手に入りにくいものを交換したりして楽しまれている。図１１の組立カード１０は切離し部１１に野球選手の姿を印刷してトレーディングカードとしたもので、購入したり交換したりしてこのカードを手に入れた人は、図１１のように組み立てた状態にし、机の上に置くなどして楽しむことができる。
【００２１】
図１２は本発明に係る組立カードの利用例を示すものである。この例では、組立カードから切り離した切離し部１１のみを使用している。具体的には、卓上式カレンダーＣにおける外側ケースの前方下部に切込ｓを設けておき、その切込ｓのところに切離し部１１を差し込んで立てた状態にする。これにより、アイドルや野球選手などの立ち像を机上等にて何時も見ることができる。
【００２２】
【発明の効果】
以上説明したように、本発明の組立カードは、一枚のカードを分離して組立を行うことで、台座の上に人物や商品などの絵柄が立った状態になり、しかも今までにない立体的な形状で安定したものとなることから、一枚の板紙を組み立てるだけという簡便さに加え、面白みがあって見栄えのするものとなる。さらに、人物などを抜いて卓上カレンダーなどに差し込んで使用することもできる。
【００２３】
また、組み立てる前は矩形状にまとまるので、定型サイズとすることで、所謂トレーディングカードとしての用途にも使用できる。
【００２４】
また、一枚の板紙製であるので、通常の厚紙印刷機で大判印刷し、これを断裁して製造することができ、したがって低コストで製造することができる。
【００２５】
また、従来のカードのように一部を折り曲げて立設する立体的な表示体は、時間とともに表示部分が倒れてくるなど、組立後の状態が安定していないが、本発明の組立カードは、差込み部分を深くする等の設計上の工夫により、表示部すなわち切離し部を台座に対して安定して立設することができる。
【図面の簡単な説明】
【図１】本発明に係る組立カードの一例を示す平面図である。
【図２】図１の組立カードを切離し部と周縁部とに分離した状態で示す平面図である。
【図３】分離して組み立てた状態の周縁部とそれに差し込む前の切離し部とを示す斜視図である。
【図４】図１の組立カードを組み立てた状態で示す斜視図である。
【図５】図１に示した組立カードの変形例を示す平面図である。
【図６】図５の組立カードを切離し部と周縁部とに分離した状態で示す平面図である。
【図７】分離して組み立てた状態の周縁部とそれに差し込む前の切離し部とを示す斜視図である。
【図８】図５の組立カードを組み立てた状態で示す斜視図である。
【図９】組立カードの実施例を示す斜視図である。
【図１０】組立カードの別の実施例を示す斜視図である。
【図１１】組立カードのさらに別の実施例を示す斜視図である。
【図１２】組立カードの利用例を示す斜視図である。
【符号の説明】
１０  組立カード
１１  切離し部分
１２  周辺部
１３  下辺側折曲げ部
１４  上辺側折曲げ部
ａ，ｂ，ｃ  折線
ｍ，ｎ  切込線
α  切抜き線
【図１】
0003883181.tif 000002
【図２】
0003883181.tif 000003
【図３】
0003883181.tif 000004
【図４】
0003883181.tif 000005
【図５】
0003883181.tif 000006
【図６】
0003883181.tif 000007
【図７】
0003883181.tif 000008
【図８】
0003883181.tif 000009
【図９】
0003883181.tif 000010
【図１０】
0003883181.tif 000011
【図１１】
0003883181.tif 000012
【図１２】
0003883181.tif 000013